(57)【要約】【課題】  独力で他人とのコミュニケーションが困難な重度障害者でもマッサージ利用者にとって最適なマッサージを施術することができるようにする。【解決手段】  民間企業内で、独力で他人とのコミュニケーションが困難な重度障害者であって且つマッサージ国家免許を取得している障害者がマッサージ師を務めるマッサージ施術サービスにおいて実施されるマッサージ施術施設であって、そのサービスの利用者と上述のマッサージ師がコミュニケーションをとるために、そのマッサージ利用者の状態や音声の情報を視覚及び聴覚で感知し、感知した情報をマッサージ師の聴覚又は触覚に伝える者及びマッサージ用ベッドが設置されていて、マッサージ師が歩き回るスペースと、ベッドを広げて置くスペース及びマッサージ師がマッサージ利用者とのコミュニケーションをとる際の仲介をする者が設置されているスペースとから成ることを特徴とする。【特許請求の範囲】
【請求項１】
他人とのコミュニケーションが独力では困難な程度に重度な障害を持っていて且つマッサージ国家免許を取得している障害者がマッサージ師を務め、民間企業が所有又は賃貸している事務所若しくは工場の内部で行われるマッサージ施術サービスにおいて実施されるマッサージ施術施設であって、そのマッサージ施術サービスを利用するために来た利用者と上述のマッサージ師がコミュニケーションをとるために、そのマッサージ利用者の状態及び音声の情報を視覚又は聴覚にて感知し、感知した情報をマッサージ師の聴覚又は触覚に伝える者及びマッサージ用ベッドが設置されていて、マッサージ師がマッサージ施術のために歩き回ることができるスペースと、マッサージ用ベッドの上で人間が全身を横にすることができるようにそのベッドを広げて置くスペース及びマッサージ師がマッサージ利用者とのコミュニケーションをとる際の仲介をする者が設置されているスペースとから成ることを特徴とするマッサージ施術施設。
【発明の詳細な説明】
【技術分野】
【０００１】  本発明は、重度障害者のマッサージ師が用いるマッサージを施術施設に関する。
【背景技術】
【０００２】  マッサージ師にとってマッサージ利用者とのコミュニケーションは、利用者の心身の状態を把握し、その情報に基づいて利用者にとって最適なマッサージを施術するために必要なものであり、マッサージ師がマッサージ施術サービスを行うにあたって重要なものである。【０００３】  しかし、従来のマッサージ施術施設はマッサージ師及びマッサージ施術用の器具のみが設置されているだけであって、マッサージ施術サービスを受けに来た利用者の状態及び音声の情報を、他人とのコミュニケーションが独力では困難な程度に重度な障害を持っている障害者のマッサージ師に伝える機能を有していない。
【発明の開示】
【発明が解決しようとする課題】
【０００４】  上述の如く、従来のマッサージ施術施設はマッサージ施術サービスを受けに来た人の状態及び音声の情報を、他人とのコミュニケーションが独力では困難な程度に重度な障害を持っている障害者のマッサージ師に伝える機能を有していないため、その重度障害者のマッサージ師はマッサージ利用者から発せられる情報を感知することができず、重度障害者のマッサージ師とマッサージ利用者とのコミュニケーションが困難である。【０００５】  上述の事情により、重度障害者のマッサージ師はマッサージ利用者の心身の状態を正確に把握することができず、結果として利用者にとって最適なマッサージを施術することができない。【０００６】  本発明は、このような点に鑑みて成されたものであり、その目的は、重度障害者のマッサージ師とマッサージ利用者との正確かつ円滑なコミュニケーションを実現し、上述のような重度障害者のマッサージ師でもマッサージ利用者にとって最適なマッサージを施術することができるようにすることである。
【課題を解決するための手段】
【０００７】  上述の目的を達成する本発明のマッサージ施術施設は、他人とのコミュニケーションが独力では困難な程度に重度な障害を持っていて且つマッサージ国家免許を取得している障害者がマッサージ師を務め、民間企業が所有又は賃貸している事務所若しくは工場の内部で行われるマッサージ施術サービスにおいて実施されるマッサージ施術施設であって、そのマッサージ施術サービスを利用するために来た利用者と上述のマッサージ師がコミュニケーションをとるために、そのマッサージ利用者の状態及び音声の情報を視覚又は聴覚にて感知し、感知した情報をマッサージ師の聴覚又は触覚に伝える者及びマッサージ用ベッドが設置されていて、マッサージ師がマッサージ施術のために歩き回ることができるスペースと、マッサージ用ベッドの上で人間が全身を横にすることができるようにそのベッドを広げて置くスペース及びマッサージ師がマッサージ利用者とのコミュニケーションをとる際の仲介をする者が設置されているスペースとから成ることを特徴とする。
【発明の効果】
【０００８】  以上説明したように本発明によれば、マッサージ師がマッサージ利用者とのコミュニケーションをとる際の仲介をする者がそのマッサージ施術サービスを利用するために来た利用者の状態及び音声の情報を視覚又は聴覚にて感知し、感知した情報をマッサージ師の聴覚又は触覚に伝えることができるように常に設置されているため、他人とのコミュニケーションが独力では困難な程度に重度な障害を持っている障害者のマッサージ師でもマッサージ利用者が発する情報を知ることができる。【０００９】  マッサージ利用者の発する情報を手に入れることができることで、他人とのコミュニケーションが独力では困難な程度に重度な障害を持っている障害者のマッサージ師とマッサージ利用者は正確かつ円滑なコミュニケーションをとることができ、重度障害者のマッサージ師でもマッサージ利用者の心身の状態を性格に把握することができる。結果として、上述のような重度障害者のマッサージ師でも、マッサージ利用者にとって最適なマッサージを行うことができるのである。【００１０】  以上説明したような効果を本発明は持っており、これはマッサージ師とマッサージ施術用の器具のみしか設置されていない従来のマッサージ施術施設と比べて顕著な進歩性が存在するのである。
【発明を実施するための最良の形態】
【００１１】  以下、本発明の実施の形態を詳細に説明する。【００１２】  第一に、他人とのコミュニケーションが独力では困難な程度に重度な障害を持っていて且つマッサージ国家免許を取得している障害者がマッサージ師を務め、民間企業が所有又は賃貸している事務所若しくは工場の内部で行われるマッサージ施術サービスにおいて、そのサービスにて実施されるマッサージ施術施設内に、そのマッサージ師がマッサージ利用者とのコミュニケーションをとる際の仲介をする者及びマッサージ用ベッドを設置する。【００１３】  上述のものを設置する際は、本発明のスペース全体が、マッサージ師がマッサージ施術のために歩き回ることができるスペースと、マッサージ用ベッドの上で人間が全身を横にすることができるようにそのベッドを広げて置くスペース及びマッサージ師がマッサージ利用者とのコミュニケーションをとる際の仲介をする者が設置されているスペースとから成るように設置する。【００１４】  第二に、上述のマッサージ施術サービスを利用することを目的とした利用者が本発明の元に来た場合、マッサージ師がマッサージ利用者とのコミュニケーションをとる際の仲介をする者はそのマッサージ利用者の状態及び音声の情報を視覚又は聴覚にて感知し、感知した情報をマッサージ師の聴覚又は触覚に伝える。マッサージ師の聴覚又は触覚に情報を伝える方法例としては、音声通訳、指点字、触手話、手のひら書き文字といった方法が考えられる。【００１５】  第三に、その重度障害者のマッサージ師は自身の聴覚又は触覚に伝えられたマッサージ利用者の情報を受け、マッサージ利用者とのコミュニケーションをとり、そのマッサージ利用者の心身の状態を把握して、そのマッサージ利用者にとって最適なマッサージをその利用者に提供する。【００１６】  以上が、本発明を実施するための詳細な形態である。